(57)【要約】【目的】  本発明は、トイレで着用のままで用を足せる下ばきとする。或いは、着用のままで尿取りパットや生理帯パットを交換できる下ばきに関するものである。【構成】  下ばき１の太ももの付根のあたりから左右に切り離し、開閉口２とし、開閉口上側４と開閉口下側５の双方にマジック−テープを取付ける。【選択図】  図１
2005299063.tif 000002
【特許請求の範囲】
【請求項１】
下ばき１に開閉口２を設けて、開閉口２に留め具を備えた開閉口つき下ばき。
【発明の詳細な説明】
【発明の詳細な説明】
【技術分野】
【０００１】  本発明は、下ばき１の局所周囲にあたる箇所に開閉口２を設けて、下ばき着用のままでトイレで用を足す事ができる。
或いは、下ばき着用のままで尿取りパットや生理帯パットの交換ができる、開閉口つき下ばきに関するものである。
【背景技術】
【０００２】  従来の下ばきは、着用のままでトイレで用をたす事や着用のままで尿取りパット・生理帯パットの交換は不可能であった。
【発明が解決しようとする課題】
【０００３】  従って、下ばきを着用のままでトイレで用をたす事ができる。或いは、下ばきを着用のままで尿取りパットや生理帯パットの交換ができる、下ばきを工夫しょうとするものである。
【課題を解決するための手段】
【０００４】  １−の手段としては、図１のようにパンツのズロース・ブリーフ等やパンティー等の下ばき前側の適当な丈の箇所から左右に切り離す。
そして、切り離した双方の端周辺にマジック−テープ・ボタン。粘着テープ等の留め具を取付ける。
２−の手段としては、下ばき１の前側と後側の適当な丈の箇所から左右に切り離し、切り離した前側と後側の端周辺に留め具の一方を取付ける。
そして、下ばき１、本体側の前側と後側の端周辺に留め具の他方を取付ける。等の手段がある。
下ばき１は切り離して留め具を取付ける事によって、その周辺の寸法が小さくなる。それで、寸法が小さくならないように、開閉口上側４の端あるいは開閉口下側５の端を大きくして元のオムツの寸法になるように調整するとよい。
【実施例】
【０００５】実施例１ー図１は実施例１を示す正面図である。
実施例１のものは、下ばき１の太ももの付根あたりから左右に切り離し、開閉口２としたものである。
この開閉口上側４の外側端の周辺にマジック−テープ３を縫合して取付け、開閉口下側５の内側端の周辺にもマジック−テープ３を縫合して取付けて、開閉口上側４の外側に開閉口下側５の内側を重ねた形で接着接続させたものである。
加えて、開閉口上側４の内側端の周辺にマジック−テープ３を取付け、開閉口下側５の外側端の周辺にもマジック−テープ３を取付けて、開閉口下側５の外側に開閉口上側４の内側を重ねた形で接着接続させるようにしても支障はない。【０００６】実施例２ー図２は実施例２を示す正面図である。
実施例２のものは、開閉口２を開放して開閉口上側４の外側に取付けたマジック−テープ３と開閉口下側５の内側に取付けたマジック−テープ３の状態を示したものである。
【発明の効果】
【０００７】  本発明の開閉口つき下ばきは次のような効果を有するものである。
１ートイレで用をたす時に下ばきの上げ下げの必要がないから衣服を乱さない。それで、乱れた衣服をなおす煩わしさが解消される。
２ー開閉口２を開放し、開閉口下側５の端をゴムヒモ６と背の間にはさむ事で、オムツの上げ下げの必要がない。
それで、脳卒中等で体に障害を負い、片腕が不自由な人なども容易にトイレで用をたす事ができる。
３ー開閉口つき下ばきは着用のままで尿取りパットや生理帯パットを迅速にセッットできる。
それで、職場や学校等でこれらパットの交換が容易であり、パット交換による時間のロスが解消されるから、時間のロスによる弊害がなくなる。
【図面の簡単な説明】
【図１】  実施例１を示す正面図である。
【図２】  実施例２を示す正面図である。
【符号の説明】
１ー下ばき。      ３ーマジック−テープ。      ５ー開閉口下側。
２ー開閉口。      ４ー開閉口上側。            ６ーゴムヒモ。
【図１】
2005299063.tif 000003
【手続補正書】
【提出日】平成16年9月22日(2004.9.22)
【手続補正１】
【補正対象書類名】明細書
【補正対象項目名】全文
【補正方法】変更
【補正の内容】
【発明の詳細な説明】
【技術分野】
【０００１】  本発明は、下ばき１に開閉口２を作り下ばき１を着用のままでトイレでの用足し・尿取りパッドや生理帯の取付けと取換えを図った開閉口つき下ばきに関するものである。
【背景技術】
【０００２】  従来の下ばきは、トイレでの用足し・尿取りパッドや生理帯の取付け或いは取換えには膝あるいは足首のあたりまで下げる必要があった。
【発明の開示】
【発明が解決しょうとする課題】
【０００３】  従来の下ばきでは、迅速にトイレでの用足し・尿取りパッドや生理帯のセット或いは取換えには無理があった。  それで、下ばきを汚したり職場等での人間関係を悪化させる原因ともなった。
【０００４】本発明は、このような従来の下ばきの構成が有していた問題を解決しようとするものであり、迅速にトイレでの用足し・尿取りパッドや生理帯のセット或いは取換えを行なえる下ばきの実現を目的とするものである。
【課題を解決するための手段】
【０００５】そして、上記目的を達成する為に五つの方法を下記に説明するものである。その１として図１に示す形態の下ばきＡの方法は、イ−下ばき前側の両端から中央にあたる部分の適当な箇所から、下ばきの太ももの付根にあたる部分の左右を切り離す。このように切り離すと局所・股間・尻の露出が可能な状態になる。ロ−次に、切り離した上部端周辺や下部端周辺に留具３を取付けて、双方の連結と取外しを可能にした前面の開閉口２とする方法。留め具には、マジックテープ・粘着テープ・ボタン・ファスナー・ホック等がある。
【０００６】その２として図１に示す形態の下ばきＢの方法は、イ−下ばき後側の両端から中央にあたる部分の適当な箇所から、下ばきの太ももの付根にあたる部分の左右を切り離す。このように切り離すと局所・股間・尻の露出可能な状態になる。ロ−次に、切り離した上部端周辺と下部端周辺に留具３を取付けて、双方の連結と取外しを可能にした後面の開閉口２とする方法。
【０００７】その３として図１に示す形態の下ばきＣの方法は、イ−下ばきの前側の両端から中央にあたる部分の適当な丈の箇所から、下ばきの太ももの付根にあたる部分の左端から右端に切り離す。更に、後側の両端から中央にあたる部分の適当な丈の箇所から、下ばきの太ももの付根にあたる部分の左端から右端に切り離す。このように切り離すと、切り離した前側と後側の間の部分が取り除けるので局所・股間・尻の露出が可能な状態になる。ロ−次に、前側の適当な丈の箇所から左端から右端に切り離した上部端周辺や下部端周辺に留具３を取付けて、双方の連結と取外しを可能にした前面の開閉口２とする。ニ−更に、後側の適当な丈の箇所から左端から右端に切り離した上部端周辺や下部端周辺に留具３を取付けて、双方の連結と取外しを可能にした後面の開閉口２とした、一つの下ばきに二つの開閉口２を具備する方法。
【０００８】その４としてズロースやパンティーストッキング等の股間から下が二つに分かれ、太もも等を覆う下ばきＡの方法は、イ−下ばき前側の両端から中央にあたる部分の適当な丈の箇所から、下ばきの両方の太ももの付根にあたる間を左右に切り離す。この切り離した左端から後側に適当な箇所まで切り離す。更に、右端から後側に適当な箇所まで切り離す。以上の切り離しは局部・股間・尻の露出可能を計り切り離す事が大切である。ロ−次に、下ばき前側の左右に切り離した上部端周辺や下部端周辺に留具３を取付けて、この双方の連結と取外しを可能にした前面の開閉口２とする方法。
【０００９】その５としては、ズロースやパンティーストッキング等の股間から下が二つに分かれ、太もも等を覆う下ばきＢの方法は、イ−下ばき前側の両端から中央にあたる部分の適当な丈の箇所から、下ばきの両方の太ももの付根にあたる間を左右に切り離す。更に、後側の両端から中央にあたる部分の適当な丈の箇所から、下ばきの両方の太ももの付根にあたる間を切り離す。ロ−そして、切り離した前側の左端下部と後側の左端下部の間を切り離す。前側の右端下部と後側の右端下部の間も切り離す。このように四方に切り離して、この部分が取り除いて局所・股間・尻の露出が可能な状態にする。ハ−次に、前側の適当な丈の箇所から左右に切り離した上部端周辺や下部端周辺に留具３を取付けて、双方の連結と取外しを可能にした前面の開閉口２とする。ニ−更に、後側の適当な丈の箇所から左右に切り離した上部端周辺と下部端周辺に留具３を取付けて、双方の連結と取外しが可能にした後面の開閉口２とした、一つの下ばきに二つの開閉口２を具備する方法。などがある。
【００１０】以上の開閉口つき下ばきは、下ばきの一部を切り離して留め具を取付ける事で、この取付けに要すた部分だけ寸法が縮小する。それで、この縮小した部分を大きくして元の寸法にする。或いは、尿取りパッドや生理帯のセットや取換えが容易にする分も図って大きく補修するとよい。
【発明の効果】
【００１１】  本発明は下記の効果を有するものである。１−トイレで迅速に局部・股間・尻の露出ができる。それで、高齢者はトイレでの失禁による下ばきの汚れが大幅に減少し、暗い気分となる回数や洗濯の煩わしが減る。２−脳卒中などで片腕に障害のある人は、もう一方の腕で開閉口２を開ける事ができる。それで、トイレ等での介護者の力添えが大幅に減る。３−尿取りパッドや生理帯のセットや取換えは開閉口２の開け閉めで手早く行なえる。それで、時間のロスによる弊害が大幅に減る。特に、この事によって学校での休憩時間終了後の授業に遅れる心配もなく、職場での時間のロスからの人間関係の悪化も大幅に防げる。
【発明が実施するための最良の形態】
【００１２】  図１は実施例を示す正面図である。  実施例の下ばきは、太ももの付根あたりの部分を左から右に切り離し、局部・股間・尻の露出を可能にしたものである。そして、左右に切り離した上部と下部の端周辺に粘着テープを取付け開閉口としたものである。
【００１３】粘着テープは、左右に切り離した上部の表面と下部の裏面を重ね合わせて取付けるようにして開閉口２としてもよく、上部の裏面と下部の表面を重ね合わせて取付けるようにして開閉口２としてもよい。
【００１４】以上のような構成にするとトイレで用を足す場合には、上部と下部を重ね合わせて連結した開閉口を開き、下部の方の端を後側のゴムヒモと背中の間にはさみ込む事で下ばきを汚さず容易に用を足すことができる。
【００１５】更に、尿取りパッドや生理帯のセット或いは取り換えは、開閉口を開き下部の方の裏面を前方に広げるように下部の一端を一方の手の指で支え、他方の手の指で尿取りパッドや生理帯のセット或いは取り換えが容易にできる。
【図面の簡単な説明】
【００１６】
【図１】実施例を示す正面図である。
【符号の説明】
【００１８】１−下ばき。      ２−開閉口。      ３−粘着テープ。      ４−開閉口上部。５−開閉口下部。  ６−ゴムヒモ。